(57)【要約】  摺動スカート部バネ（２０）の作用のもとで連続伸張性区域（１５）を軸方向に圧縮するために機械的スカート部間接続部（１３）により相互接続された固定スカート部（７）および摺動スカート部（１２）を含むピストン（３）のためのピストン密閉装置（２）のための関節型連結部（１）が提供される。関節手段（４０）が、スカート部間機械的接続部（１３）とピストン（３）との間に、および／または、上記接続部（１３）と摺動スカート部（１２）との間に、置かれる一方で、上記連結部（１）は、一方では、玉継手スカート部（２２）により固定スカート部（７）を置き換え、他方では、玉継手スカート部（２２）上に提供されたスカート部切断球形当接表面（２４）と協働する切断球形ピストン端部（２１）を提供する。【選択図】図２
2020509286.tif 000002
【特許請求の範囲】
【請求項１】
ピストン密閉装置（２）のための関節型連結部（１）であって、前記ピストン密閉装置（２）は流体チャンバ（５）を構築するためにシリンダ（４）内で動作するピストン（３）のために提供され、前記ピストン（３）はピストンヘッド（６）を含み、摺動スカート部（１２）が、前記ヘッド（６）の軸において前記圧縮表面（１０）の側の前記ピストンヘッド（６）の延長において、小さい隙間が存在する状態で前記シリンダ（４）内に収容される一方で、前記ピストンヘッド（６）は固定スカート部（７）を含み、またヘッドは一方では、伝達手段（９）に対して力を作用させるためのピストン当接表面（８）と、他方では、流体（１１）の圧力を受容するために前記流体チャンバ（５）に開口する圧縮表面（１０）と、を有し、圧力伝達流路（１４）が、前記摺動スカート部（１２）の内部に配置され、前記摺動スカート部（１２）を軸方向に通り抜けるよう横断する一方で、前記摺動スカート部（１２）はスカート部間機械的接続部（１３）により前記ヘッド（６）に接続され、それにより、前記摺動スカート部（１２）は前記ヘッド（６）に対して長手方向に並進移動することが可能であり、前記ピストン密閉装置（２）は前記固定スカート部（７）と前記摺動スカート部（１２）との間に置かれた連続伸張性区域（１５）も含み、摺動スカート部バネ（２０）が前記摺動スカート部（１２）を前記固定スカート部（７）に対して近接させ、前記連続伸張性区域（１５）を軸方向に圧縮する傾向を有するにも関わらず、前記区域（１５）は、前記圧力伝達流路（１４）を通して前記流体（１１）の圧力にさらされる区域内側円筒形表面（１６）、前記シリンダ（４）に対して接触可能である区域外側円筒形表面（１７）、前記固定スカート部（７）に対して密閉接触状態で直接的または間接的に保持される固定スカート部側区域軸方向表面（１８）、および、前記摺動スカート部（１２）に対して密閉接触状態で直接的または間接的に保持される摺動スカート部側区域軸方向表面（１９）を、含み、前記連結部（１）は、
・前記スカート部間機械的接続部（１３）により軸方向に横断され、かつ、前記連続伸張性区域（１５）と前記ピストンヘッド（６）との間に置かれた、固定スカート部（７）として機能する玉継手スカート部（２２）であって、前記摺動スカート部バネ（２０）が、前記玉継手スカート部（２２）および前記連続伸張性区域（１５）により形成された積み重ね体を、前記摺動スカート部（１２）と前記ピストンヘッド（６）との間でクランプされた状態で保持する一方で、前記スカート部（２２）は、一方では、前記ピストンヘッド（６）に対して密閉接触状態に保たれるピストンヘッド側スイベル回転スカート部の軸方向表面（２３）と、他方では、前記連続伸張性区域（１５）に対して密閉接触状態で直接的または間接的に保持される摺動スカート部側スイベル回転スカート部の軸方向表面（２５）と、を含む、玉継手スカート部（２２）と、
・前記圧縮表面（１０）上に配置された切断球形ピストン端部（２１）であって、前記端部（２１）がその一部を構成する球体の中心が前記ピストン（３）の長手方向軸の近傍に配置される、切断球形ピストン端部（２１）と、
・前記ピストンヘッド側スイベル回転スカート部の軸方向表面（２３）上に配置された切断球形スカート部当接表面（２４）であって、その形状が前記切断球形ピストン端部（２１）の形状に対して相補的であり、かつ、前記当接表面（２４）と前記端部（２１）との間の接触部が玉継手を形成し、前記玉継手スカート部（２２）は前記ピストン（３）に対して前記玉継手スカート部（２２）を指向させるために前記玉継手の周りで回転可能である、切断球形スカート部当接表面（２４）と、
・前記スカート部間機械的接続部（１３）と前記ピストン（３）との間に、および／または、前記接続部（１３）と前記摺動スカート部（１２）との間に、直接的または間接的に置かれる関節手段（４０）と
を含むことを特徴とする、関節型連結部（１）。
【請求項２】
前記関節手段（４０）は、前記ピストン（３）に最も近接した前記スカート部間機械的接続部（１３）の端部を終端させるピストン側スイベル回転接続ヘッド部（２７）から構成され、前記ヘッド部（２７）は前記ピストン（３）に対する前記ヘッド部（２７）の位置を略保持する一方で、前記ヘッド部（２７）は、前記接続部（１３）が前記ピストン（３）に対して枢動することを可能にすることを特徴とする、請求項１に記載の関節型連結部。
【請求項３】
前記ピストン側スイベル回転接続ヘッド部（２７）の前記ピストン（３）に対する回転中心と、前記玉継手スカート部（２２）の前記ピストン（３）に対する回転中心とは、前記ピストン（３）に対して同一場所を共有することを特徴とする、請求項２に記載の関節型連結部。
【請求項４】
前記ピストン側スイベル回転接続ヘッド部（２７）は、前記ヘッド部（２７）の形状に対して相補的形状のスイベル回転ワッシャ（４１）において関節接続され、前記ワッシャ（４１）は前記ピストン（３）内に収容されることを特徴とする、請求項２に記載の関節型連結部。
【請求項５】
前記関節手段（４０）は、前記摺動スカート部（１２）に最も近接した前記スカート部間機械的接続部（１３）の端部を終端させる少なくとも１つの摺動スカート部側摺動・スイベル回転接続ヘッド部（２８）からなり、前記ヘッド部（２８）が、前記スカート部（１２）に対するその径方向位置を略保持するが、前記スカート部（１２）に対して軸方向に実質的に移動可能である一方で、前記ヘッド部（２８）は、前記接続部（１３）が前記スカート部（１２）に対して枢動することを可能することを特徴とする、請求項１に記載の関節型連結部。
【請求項６】
前記ピストン（３）はスカート部間接続トンネル（３１）により一方の側面から他方の側面まで長さ方向に横断され、前記スカート部間機械的接続部（１３）が前記ピストン（３）に対して前記スカート部間機械的接続部（１３）を指向させることを可能にするために、前記スカート部間機械的接続部（１３）は充分な隙間が存在する状態で前記スカート部間接続トンネル（３１）内に収容されることを特徴とする、請求項１に記載の関節型連結部。
【請求項７】
前記ピストン側スイベル回転接続ヘッド部（２７）は、前記流体（１１）が、前記ヘッド部（２７）とそのハウジングとの間で、または前記ヘッド部（２７）の一方の側面から他方の側面まで、流れることを可能にする流体通路伝送路（２９）を含むことを特徴とする、請求項２に記載の関節型連結部。
【請求項８】
前記摺動スカート部側摺動・スイベル回転接続ヘッド部（２８）は、前記流体（１１）が、前記ヘッド部（２８）とそのハウジングとの間で、または前記ヘッド部（２８）の一方の表面から他方の表面まで、流れることを可能にする流体通路伝送路（２９）を含むことを特徴とする、請求項５に記載の関節型連結部。
【請求項９】
前記玉継手スカート部（２２）の外側円筒形表面は円形減圧溝部（３２）を含むことを特徴とする、請求項１に記載の関節型連結部。
【請求項１０】
前記摺動スカート部バネ（２０）は前記摺動スカート部（１２）と一体化されたバネカップ（３９）内に収容され、前記バネ（２０）自体は、一方では、直接的または間接的に前記カップ（３９）内で当接し、他方では、直接的または間接的に前記スカート部間機械的接続部（１３）に対して当接することを特徴とする、請求項１に記載の関節型連結部。
【請求項１１】
前記摺動スカート部バネ（２０）は前記摺動スカート部（１２）に対して直接的または間接的に当接する追加バネカップ（３０）内に収容され、前記バネ（２０）自体は、一方では、直接的または間接的に前記カップ（３０）内で当接し、他方では、直接的または間接的に前記スカート部間機械的接続部（１３）に対して当接することを特徴とする、請求項１に記載の関節型連結部。
【請求項１２】
前記摺動スカート部バネ（２０）は、追加バネカップ（３０）内で、および／または、バネ当接ワッシャ（４３）を通してスカート部間機械的接続部（１３）に対して、当接することを特徴とする、請求項１１に記載の関節型連結部。
【請求項１３】
前記バネ当接ワッシャ（４３）は前記摺動スカート部バネ（２０）の最小長さを決定する軸方向停止当接部（４４）を含むことを特徴とする、請求項１１に記載の関節型連結部。
【請求項１４】
前記ピストン（３）は、前記スカート部切断球形当接表面（２４）と前記切断球形ピストン端部（２１）との間の接触部が完全にまたは部分的に破壊された場合に、前記シリンダ（４）に対して接触する可能な転位当接部（４６）を、前記ピストン（３）の周辺部に、前記切断球形ピストン端部（２１）の近傍において、含むことを特徴とする、請求項１に記載の関節型連結部。
【発明の詳細な説明】
【技術分野】
【０００１】
本発明はピストン密閉装置のための関節型結合装置に関する。本発明は、２０１５年１月２９日に公開され、かつ、出願者に所属する特許ＷＯ２０１５／０１１３５８Ａ１のピストン体のための密閉装置の改善である。なお上記装置は、高圧下で動作する任意のピストンに対して特に好適である。
【背景技術】
【０００２】
特許ＷＯ２０１５／０１１３５８Ａ１に係るピストン密閉装置は、その一方端が流体チャンバにより閉じられるシリンダ内で動作するピストンのために提供される。上記ピストンは、少なくとも１つの固定スカート部を含む少なくとも１つのピストンヘッドを含む。上記ヘッドは、一方では、任意の機械的、液圧式、または空圧式の伝達手段に対して力を作用させるためのピストン当接表面を有し、他方では、流体チャンバに開口し、かつ、流体の圧力を受容することが可能である、圧縮表面を有する。
【０００３】
依然として特許ＷＯ２０１５／０１１３５８Ａ１によれば、ピストン密閉装置は、小さい隙間が存在する状態でシリンダ内に収容された円筒形状の摺動スカート部を含む。上記スカート部は、圧縮表面の側のピストンヘッドの延長に、上記ヘッドの軸において、も配置される。
【０００４】
摺動スカート部内に配置された圧力伝達流路が軸方向において一方の端部から他方の端部まで摺動スカート部を横切る一方で、上記摺動スカート部は機械的スカート部間接続部により上記ヘッドに接続され、それにより摺動スカート部は上記ヘッドに対して長手方向に並進移動することが可能であることに留意されたい。
【０００５】
特許ＷＯ２０１５／０１１３５８Ａ１に関する本発明は、固定スカート部と摺動スカート部との間に置かれる連続的環状形状の伸張性連続区域によっても特徴付けられる。上記区域は、圧力伝達流路を介して流体の圧力にさらされる区域内側円筒形表面、シリンダに対して接触可能である区域外側円筒形表面、固定スカート部に対して密閉接触状態で直接的または間接的に保持される固定スカート部側区域軸方向表面、および、摺動スカート部に対して密閉接触状態で直接的または間接的に保持される摺動スカート部側区域軸方向表面を含む。
【０００６】
最後に、特許ＷＯ２０１５／０１１３５８Ａ１に関する本発明は、摺動スカート部を固定スカート部に対して近接させ、かつ、連続伸張性区域を軸方向に圧縮する傾向を有するか、または、上記摺動スカート部を固定スカート部から離間する方向に移動させることを防止することにより少なくとも当接部として作用する、摺動スカート部バネによっても特徴付けられる。
【０００７】
特許ＷＯ２０１５／０１１３５８Ａ１を読むと、動作するためには、ピストンヘッド、その固定スカート部、および摺動スカート部が常時整列された状態にあることを、ピストン密閉装置が要求することが理解される。この構成は、そのピストンが、ピストンが協働するシリンダにより軸方向に指向される、液圧ポンプおよびモータに対して理想的である。
【０００８】
対照的に、特許ＷＯ２０１５／０１１３５８Ａ１に係るピストン密閉装置は、そのピストンが、ピストンが協働するシリンダに対して必ずしも常時平行であるとはかぎらない、液圧ポンプおよびモータに対しては好適ではない。このことは、例えば、球形ピストンを有する斜軸液圧モータの場合に成り立つ。係る斜軸液圧モータは、それにも関わらず、特許ＷＯ２０１５／０１１３５８Ａ１に係るピストン密閉装置により、体積およびエネルギー効率が顕著に改善される。
【発明の概要】
【０００９】
本発明に係るピストン密閉装置のための関節型連結部の目的は、特許ＷＯ２０１５／０１１３５８Ａ１に係るピストン密閉装置を、そのピストン（単数または複数）が、係るピストンが協働するシリンダに対して必ずしも常時平行であるとはかぎらない、任意のポンプまたは液圧モータに適用することを可能にすることにより、この問題を解決することである。その実施形態によれば、上記連結部は、
・ピストンが、ピストンが協働するシリンダに対して、自由に動くことと、
・ピストンの指向がシリンダに対して周期的に変化するにも関わらず特許ＷＯ２０１５／０１１３５８Ａ１に係るピストン密閉装置のエネルギー性能および耐久性が維持されることと、
・特許ＷＯ２０１５／０１１３５８Ａ１に係るピストン密閉装置を受容するポンプまたは液圧式モータのピストンの製造コストがわずかしか増加しないことと
を可能にする。
【００１０】
軸方向または径方向のピストンを有する液圧ポンプまたは液圧モータに適用されることに加えて、本発明に係るピストン密閉装置のための関節型連結部は、任意の他のポンプ、モータ、モータポンプ、または、その構成が上記連結部の利用を有利に可能にする液圧式または空圧式のシリンダに適用され得ることが理解される。
【００１１】
本発明の他の特徴については、記載において、または、主要な請求項に直接的または間接的に従属する従属請求項において、説明した。
【００１２】
関節型連結部はピストン密閉装置のために提供される。このピストン密閉装置自体は、流体チャンバを構築するためにシリンダ内で動作するピストンのために提供されたものである。摺動スカート部が、圧縮表面の側のピストンヘッドの延長に、上記ヘッドの軸において、小さい間隙が存在する状態でシリンダ内に収容される一方で、上記ピストンは固定スカート部を有するピストンヘッドを含み、またヘッドは一方では、伝達手段に対して力を作用させるためのピストン当接表面と、他方では、流体の圧力を受容するために流体チャンバに開口する圧縮表面と、を有し、圧力伝達流路が、摺動スカート部内に配置され、軸方向において一方の端部から他方の端部まで摺動スカート部を横切る一方で、上記摺動スカート部はスカート部間機械的接続部により上記ヘッドに接続され、それにより、摺動スカート部は上記ヘッドに対して長手方向に並進移動することが可能であり、ピストン密閉装置は固定スカート部と摺動スカート部との間に置かれた連続伸張性区域も含み、摺動スカート部バネが、摺動スカート部を固定スカート部に対して近接させ、かつ、連続伸張性区域を軸方向に圧縮させる傾向を有する場合でさえも、上記区域は、圧力伝達流路を介して流体の圧力にさらされる区域内側円筒形表面、シリンダに対して接触可能である区域外側円筒形表面、固定スカート部に対して密閉接触状態で直接的または間接的に保持される固定スカート部側区域軸方向表面、および、摺動スカート部に対して密閉接触状態で直接的または間接的に保持される摺動スカート部側区域軸方向表面を含み、上記連結部は、
・スカート部間機械的接続部により軸方向に横断され、かつ、伸張性連続区域とピストンヘッドとの間に置かれる、固定スカート部として機能する玉継手を有するスカート部であって、摺動スカート部バネが、玉継手スカート部および連続伸張性区域により形成された積み重ね体を、摺動スカート部とピストンヘッドとの間でクランプされた状態で保持する一方で、上記スカート部は、一方では、ピストンヘッドに対して密閉接触状態に保たれるピストンヘッド側のスイベル回転スカート部の軸方向表面と、他方では、連続伸張性区域に対して密閉接触状態に直接的または間接的に保持される摺動スカート部側のスイベル回転スカート部と、を含む、スカート部と、
・圧縮表面上に配置されたピストンの切断球形端部であって、上記端部がその一部を構成する球体の中心がピストンの長手方向軸の近傍に配置される、切断球形端部と、
・ピストンヘッド側のスイベル回転スカート部の軸方向表面上に配置されたスカート部切断球形当接表面であって、その形状がピストン切断球形端部の形状に対して相補的であり、かつ、上記当接表面と上記端部との間の接触部が玉継手接続部を形成し、玉継手スカート部はピストンに対して玉継手スカート部を指向させるために玉継手接続部の周りで回転可能である、スカート部切断球形当接表面と、
・スカート部間機械的接続部とピストンとの間に、および／または、接続部と摺動スカート部との間に、直接的または間接的に置かれる関節手段と
を含む。
【００１３】
本発明に係る関節型連結部は、ピストンに最も近接したスカート部間機械的接続部の端部を終端させるピストン側スイベル回転接続ヘッド部から構成された関節手段を含む。なお、上記ヘッド部がピストンに対してその位置を略保持する一方で、上記ヘッド部は上記接続部がピストンに対して枢動することを可能にする。
【００１４】
本発明に係る関節型連結部は、上記ピストンに対して同一場所を共有する、ピストン側スイベル回転接続ヘッド部のピストンに対する回転中心と、玉継手スカート部のピストンに対する回転中心と、を含む。
【００１５】
本発明に係る関節型連結部は、上記ヘッド部の形状に対して相補的形状のスイベル回転ワッシャにおいて関節接続されるピストン側スイベル回転接続ヘッド部を含み、上記ワッシャはピストン内に収容される。
【００１６】
本発明に係る関節型連結部は、摺動スカート部に最も近接したスカート部間機械的接続部の端部を終端させる少なくとも１つの摺動スカート部側摺動・スイベル回転接続ヘッド部からなる関節手段を含み、上記ヘッド部が上記スカート部に対してその径方向位置を略保持するが、上記スカート部に対して軸方向に実質的に移動可能である一方で、上記ヘッド部は、上記接続部が上記スカート部に対して枢動することを可能にする。
【００１７】
本発明に係る関節型連結部は、スカート部間接続トンネルにより一方の端部から他方の端部まで長さ方向に横断されるピストンを含み、スカート部間機械的接続部がピストンに対してスカート部間機械的接続部自体を指向させることを可能にするために、スカート部間機械的接続部は充分な隙間が存在する状態でスカート部間接続トンネル内に収容される。
【００１８】
本発明に係る関節型連結部は、流体が、ヘッド部とそのハウジングとの間で、またはヘッド部の一方の表面から他方の表面まで、流れることを可能にする流体通路伝送路を含むピストン側スイベル回転接続ヘッド部を含む。
【００１９】
本発明に係る関節型連結部は、流体が、ヘッド部とそのハウジングとの間で、またはヘッド部の一方の表面から他方の表面まで、流れることを可能にする流体通路伝送路を含む摺動スカート部側摺動・スイベル回転接続ヘッド部を含む。
【００２０】
本発明に係る関節型連結部は、円形減圧溝部を有する玉継手スカート部の外側円筒形表面を含む。
【００２１】
本発明に係る関節型連結部は摺動スカート部と一体化されたバネカップ内に収容された摺動スカート部バネを含み、上記バネ自体は、一方では、直接的または間接的に上記カップ内で当接し、他方では、直接的または間接的にスカート部間機械的接続部に対して当接する。
【００２２】
本発明に係る関節型連結部は、摺動スカート部に対して直接的または間接的に当接する追加バネカップ内に収容される摺動スカート部バネを含み、上記バネ自体は、一方では、直接的または間接的に上記カップ内で当接し、他方では、直接的または間接的にスカート部間機械的接続部に対して当接する。
【００２３】
本発明に係る関節型連結部は、追加バネカップ内で、および／または、バネ当接ワッシャを介してスカート部間機械的接続部に対して、当接する摺動スカート部バネを含む。
【００２４】
本発明に係る関節型連結部は、摺動スカート部バネの最小長さを決定する軸方向停止当接部を有するバネ当接ワッシャを含む。
【００２５】
本発明に係る関節型連結部は、スカート部切断球形当接表面と切断球形ピストン端部との間の接触部が完全にまたは部分的に破壊された場合に、シリンダに対して接触する転位当接部を、その周辺部に、ピストン切断球形端部の近傍において、有するピストンを含む。
【００２６】
以下の説明は、非限定的な事例として与えられた添付の図面を参照すると、本発明、本発明が提供する特徴および本発明が提供し得る利点に関するより良好な理解を提供するであろう。
【図面の簡単な説明】
【００２７】
【図１】そのピストンが、本発明に係るピストン密閉装置のための関節型連結部を受容する、可変変位軸方向ピストン液圧モータの概略断面図である。
【図２】摺動スカート部が追加バネカップを受容し、玉継手スカート部が円形減圧溝部および軸方向減圧溝部を有する一方で、上記連結部は、スカート部間機械的接続部とピストンとの間に、および、上記接続部と摺動スカート部との間に置かれた関節手段を受容する、本発明に係る関節型連結部を受容するピストンの概略断面図である。
【図３】特にピストンが、ピストンが協働する玉継手スカート部に対して回転するときの、本発明に係る関節型連結部の動作を示す概略断面図である。
【図４】特にピストンが、ピストンが協働する玉継手スカート部に対して回転するときの、本発明に係る関節型連結部の動作を示す概略断面図である。
【図５】特にピストンが、ピストンが協働する玉継手スカート部に対して回転するときの、本発明に係る関節型連結部の動作を示す概略断面図である。
【図６】上記連結部が、スカート部間機械的接続部とピストンとの間に、および、上記接続部と摺動スカート部との間に、置かれた関節手段を受容する、本発明に係る関節型連結部を受容する組み立てられたピストンの３次元図である。
【図７】上記連結部自体が、スカート部間機械的接続部とピストンとの間に、および、上記接続部と摺動スカート部との間に、置かれた関節手段を受容する、本発明に係る関節型連結部を受容するピストンの分解３次元図である。
【図８】摺動スカート部バネが追加バネカップ内に収容される一方で、上記連結部自体が、上記接続部と摺動スカート部との間にではなく、スカート部間機械的接続部とピストンとの間に、置かれた関節手段を受容し、ピストン側スイベル回転接続ヘッド部のピストンに対する回転中心と、玉継手スカート部のピストンに対する回転中心とは、ピストンに対して同一場所を共有する、本発明に係る関節型連結部を受容するピストンの概略断面図である。
【図９】上記ピストンが本発明に係る連結部を受容する、図８において示されるピストンの組み立てられた３次元図である。
【図１０】上記ピストンが本発明に係る関節型連結部を受容する、図８において示されるピストンの組み立てられた３次元図である。
【発明を実施するための形態】
【００２８】
図１〜図１０には、本発明に係るピストン密閉装置２のための関節型連結部１、その構成要素、変形体、および附属品が示されている。
【００２９】
ピストン密閉装置２のための関節型連結部１が提供される。ピストン密閉装置２は、それ自体が、流体チャンバ（５）を構築するためにシリンダ４内で動作するピストン３のために提供されたものである。上記ピストン３は固定スカート部７を有するピストンヘッド６を含み、上記ヘッドは、一方では、伝達手段９に対して力を作用させるためのピストン当接表面８と、他方では、流体１１の圧力を受容するために流体チャンバ５に開口する圧縮表面１０と、を有する。
【００３０】
加えて、図１〜図５および図８において明らかに示されているように、圧力伝達流路１４が摺動スカート部１２内に配置され、軸方向において一方の端部から他方の端部まで摺動スカート部１２を横切る一方で、本発明に係る関節型連結部１がそのために提供されているピストン密閉装置２は、圧縮表面１０の側のピストンヘッド６の延長に、上記ヘッド６の軸において、小さい隙間が存在する状態でシリンダ４内に収容されたスカート部１２を含み、上記摺動スカート部１２はスカート部間機械的接続部１３により上記ヘッド６に接続され、それにより、摺動スカート部１２は上記ヘッド６に対して長手方向に並進移動することが可能である。
【００３１】
図１〜図１０では、本発明に係る関節型連結部１がそのための提供されるピストン密閉装置２は、固定スカート部７と摺動スカート部１２との間に置かれた連続伸張性区域１５も含むことが示されている。
【００３２】
図７〜図１０では、上記区域１５は、圧力伝達流路１４を介して流体１１の圧力にさらされる区域内側円筒形表面１６を、シリンダ４に対して接触可能である区域外側円筒形表面１７を、固定スカート部７に対して密閉接触状態で直接的または間接的に保持される固定スカート部側区域軸方向表面１８を、および、摺動スカート部１２に対して密閉接触状態で直接的または間接的に保持される摺動スカート部側区域軸方向表面１９を、を含むことが注目される。
【００３３】
図１〜図５および図７、図８、ならびに図１０では、上記ピストン密閉装置２は、摺動スカート部１２を固定スカート部７に対して近接させ、かつ、連続伸張性区域１５を軸方向に圧縮する傾向を有する、摺動スカート部バネ２０も含むことも示されている。
【００３４】
したがって、図１〜図１０において示されるピストン密閉装置２の特定的な状況では、本発明に係る関節型連結部１は、スカート部間機械的接続部１３により軸方向に横断され、かつ、連続伸張性区域１５とピストンヘッド６との間に置かれる、固定スカート部７として機能する玉継手スカート部２２を含む。
【００３５】
図２〜図５および図８において明らかに見られ得るように、本発明に係る関節型連結部１では、摺動スカート部バネ２０は、玉継手スカート部２２および連続伸張性区域１５により形成された積み重ね体を、摺動スカート部１２とピストンヘッド６との間でクランプされた状態で維持する一方で、玉継手スカート部２２は、一方では、ピストンヘッド６に対して密閉接触状態に保たれるピストンヘッド側スイベル回転スカート部２５の軸方向表面２３と、他方では、連続伸張性区域１５に対して密閉接触状態で直接的または間接的に保持される摺動スカート部側スイベル回転スカート部の軸方向表面と、を含む。
【００３６】
本発明に係る関節型連結部１は、圧縮表面１０上に配置された切断球形ピストン端部２１であって、上記端部２１がその一部を構成する球体の中心がピストン３の長手方向軸の近傍に配置される、切断球形ピストン端部２１も含む。
【００３７】
図２〜図５、図８、および図１０では、本発明に係る関節型連結部１は、ピストンヘッド側スイベル回転スカート部の軸方向表面２３上に配置され、かつ、その形状が切断球形ピストン端部２１の形状に対して相補的である、スカート部切断球形当接表面２４も含むことが示されている。
【００３８】
上記当接表面２４と上記端部２１との間の接触部は玉継手を形成し、玉継手スカート部２２はピストン３に対して玉継手スカート部２２自体を指向させるために上記玉継手の周りで回転可能であり、上記接触部は、シリンダ４内におけるピストン３の指向のいかんに関わらず、密閉状態に維持されることが注目される。
【００３９】
図１〜図８および図１０では、本発明に係る関節型連結部１は、直接的または間接的に、スカート部間機械的接続部１３とピストン３との間に、および／または、上記接続部１３と摺動スカート部１２との間に、置かれた関節手段４０を含み、上記接続部１３は、ピストン３に対して、または摺動スカート部１２に対して、またはピストン３および摺動スカート部１２の両方に対して、１つ、２つ、または３つの自由軸を有する、枢動および／または摺動する接合部を形成するために、上記手段４０の周りに枢動可能であり、および／または、上記手段４０に対して並進可能であることに留意されるであろう。
【００４０】
本発明に係る関節型連結部１の特定の適用状況では、摺動スカート部バネ２０が不要となり、排除可能であることが、強調されるべきである。
【００４１】
図１〜図１０において示される本発明に係る関節型連結部１の代替的な実施形態によれば、関節手段４０は、ピストン３に最も近接したスカート部間機械的接続部１３の端部を終端させるピストン側スイベル回転接続ヘッド部２７から構成され得、ヘッド部２７がピストン３に対するその位置を略保持する一方で、ヘッド部２７は、接続部１３がピストン３に対して枢動することを可能にする。
【００４２】
図１〜図７において示される本発明に係る関節型連結部１の特定の実施形態によれば、ピストン側スイベル回転接続ヘッド部２７が、ピストン当接表面８を含むピストン３の端部の近傍に配置され得ることに留意するべきである。
【００４３】
この特定的な場合は、摺動スカート部バネ２０が、ピストン当接表面８を含むピストン３の端部の内部および／または外部に収容される他の変化例の主題であり得る。この場合、上記ピストン３の他方の端部において、スカート部間機械的接続部１３が、接続ヘッド部により、摺動スカート部１２において直接的または間接的に関節接続する（スイベル回転のみで摺動しない）一方で、ピストン側スイベル回転接続ヘッド部２７は摺動・スイベル回転し得る。
【００４４】
全般的な意味では、螺入、圧着、接合、溶接、固定、または当業者に周知である任意の取り付け方法により、ピストン側スイベル回転接続ヘッド部２７および／または摺動スカート部側摺動・スイベル回転接続ヘッド部２８が、スカート部間機械的接続部１３のいずれかの端部において追加され得ることに留意されるであろう。
【００４５】
図８〜図１０において示されているように、ピストン側スイベル回転接続ヘッド部２７のピストン３に対する回転中心と、玉継手スカート部２２のピストン３に対する回転中心とは、ピストン３に対して同一場所を共有し得る。この場合には、いかなる関節手段４０も、スカート部間機械的接続部１３と摺動スカート部１２との間に置くことは、もはや不要である。
【００４６】
依然として図８〜図１０に関して、ピストン側スイベル回転接続ヘッド部２７は、上記ヘッド部２７の形状に対して相補的な形状のスイベル回転ワッシャ４１において関節接続され、上記ワッシャ４１はピストン３内に収容され、例えば、サークリップまたはスナップリングの形状を有する弾性リング４２により上記ピストン３内で定位置に保持されると有利であり得ることに留意されるであろう。
【００４７】
それらの部分に関する図１〜図７では、関節手段４０は、摺動スカート部１２に最も近接したスカート部間機械的接続部１３の端部を終端させる少なくとも１つの摺動スカート部側摺動・スイベル回転接続ヘッド部２８からなり、上記ヘッド部２８が上記スカート部１２に対するその径方向位置を略保持するが、上記スカート部１２に対して軸方向に実質的に移動可能である一方で、上記ヘッド部２８は、上記接続部１３が上記スカート部１２に対して枢動することを可能にすることが示されている。
【００４８】
図１〜図７では、ピストン３はスカート部間接続トンネル３１により一方の端部から他方の端部まで横断され、スカート部間機械的接続部１３がピストン３に対してスカート部間機械的接続部１３自体を指向させることを可能にするために、スカート部間機械的接続部１３が充分な隙間が存在する状態でスカート部間接続トンネル３１内に収容される得ることも示されている。
【００４９】
ピストン側スイベル回転接続ヘッド部２７は、流体１１が、上記ヘッド部２７とそのハウジングとの間で、または上記ヘッド部２７の一方の表面から他方の表面まで、流れることを可能にする流体通路伝送路２９を含むことに留意されるべきである。特に図８および図１０において見られる本発明に係る関節型連結部１の特定的な実施形態によれば、流体通路伝送路２９は、スイベル回転ワッシャ４１の厚さ全体を貫通するオリフィスによっても偶然に構築され得る。
【００５０】
同様に図２〜図５において示されているように、摺動スカート部側摺動・スイベル回転接続ヘッド部２８は、流体１１が、上記ヘッド部２８とそのハウジングとの間で、または上記ヘッド部２８の一方の表面から他方の表面まで、流れることを可能にする、少なくとも１つの流体通路伝送路２９を含み得る。
【００５１】
本発明に係る関節型連結部１の代替的な実施形態によれば、玉継手スカート部２２の外側円筒形表面は、上記スカート部２２の密閉を制限する円形減圧溝部３２を有し、それにより、連続伸張性区域１５の動作が支援され得ることが、図２、および図８〜図１０においても見られ得る。なお上記溝部３２は、本発明に係る関節型連結部１の補足的な実施形態によれば、ピストンヘッド側スイベル回転スカート部の軸方向表面２３に対して上記円形溝部３２を接続する、少なくとも１つの軸方向減圧溝部３３と協働し得る。
【００５２】
図３〜図７では、摺動スカート部バネ２０は摺動スカート部１２と一体化されたバネカップ３９内に収容され、上記バネ２０自体は、一方では、直接的または間接的に上記カップ３９内で当接し、他方では、直接的または間接的にスカート部間機械的接続部１３に対して当接し得ることに留意されるであろう。
【００５３】
本発明に係る関節型連結部１の特定的な実施形態によれば、流体１１が、上記カップ３９の内側から外側へ、または外側から内側へ、通過することが可能となるよう、バネカップ３９の本体は１つまたは複数のオリフィスにより貫通され得ることに留意されるべきである。
【００５４】
他の変化例として、摺動スカート部バネ２０は、直接的または間接的に摺動スカート部１２に対して当接する追加バネカップ３０内に収容され、上記バネ２０自体は、一方では、直接的または間接的に上記カップ（３０）内で当接し、他方では、直接的または間接的にスカート部間機械的接続部１３に対して当接し得る。この変化例は図２、および図８〜図１０において示されている。
【００５５】
本発明に係る関節型連結部１の特定的な実施形態によれば、流体１１が、追加バネカップ３０の内側から外側へ、または外側から内側へ、通過することが可能となるよう、上記バネカップ３０の本体は１つまたは複数のオリフィスにより貫通され得ることに留意されるべきである。このことは図１０において特に見られる。
【００５６】
摺動スカート部１２と一体化されたバネカップ３９または追加バネカップ３０のいずれの場合でも、図８および図１０において明らかに示されているように、摺動スカート部バネ２０は、カップ３９、３０のいずれか一方のカップ内で、および／または、バネ当接ワッシャ４３を通してスカート部間機械的接続部１３に対して、当接し得ることに留意されるであろう。
【００５７】
この場合、バネ当接ワッシャ４３は摺動スカート部バネ４７をセンタリングするための手段を含み得ることに留意されるべきである。上記図８および図１０において示されているように、バネ当接ワッシャ４３は、軸方向停止ワッシャ４５と協働する弾性リング４２を通してスカート部間機械的接続部１３に対して当接し得る。
【００５８】
これらの同じ図８および図１０において、バネ当接ワッシャ４３は摺動スカート部バネ２０の最小長さを決定する軸方向停止当接部４４を含み得ることに留意されるであろう。上記スカート部１２が、および／または、スカート部１２が協働する連続伸張性区域１５が、さらされる、過剰な応力の結果として摺動スカート部１２が玉継手スカート部２２から離間する方向に移動された場合にのみ、上記停止当接部４４は動作可能であることがさらに理解される。
【００５９】
図８〜図１０において、ピストン３は、スカート部切断球形当接表面２４と切断球形ピストン端部２１との間の接触部が完全にまたは部分的に破壊された場合に、シリンダ４に対して接触する転位当接部４６を、ピストン３の周辺部に、切断球形ピストン端部２１の近傍において、含み得ることが示された。
【００６０】
好適には、上記当接部４６とシリンダ４との間で生じるいかなる接触もシリンダ４の内側表面を損傷させることがないよう、転位当接部４６は、局所的に球形状または樽形状の、柔らかい形状を有することに留意されるであろう。
【００６１】
本発明の運用方法
本発明に係るピストン密閉装置２のための関節型連結部１の運用方法は、図１〜図１０から容易に理解される。
【００６２】
図１では、本質的に知られている、可変変位軸方向ピストン液圧モータ３４に適用された関節型連結部１および斜軸が示されている。上記モータ３４のピストン３は、トランスミッションシャフト３６に対して回転において一体化されたシリンダ３５内に収容されている。これらの部材はモータ本体３８内に収容されている。係る上記エンジン３４は通常、ピストン３を有することに留意されるであろう。ピストン３は切断球形端部を露出し、この切断球形端部はシリンダ４に対して摺動玉継手接続を形成し、各ピストン３は上記接続部の周りで関節接続される。後に見られるように、この関節接続は、本発明に係る関節型連結部１により、関連するが異なる形態で、実装される。
【００６３】
上記モータ３４のピストン３が、上記モータ３４に含まれるバルブプレート３７の特定的な構成のために圧力および液圧流体流１１を受けると、上記ピストン３は駆動トルクをトランスミッションシャフト３６に与える。それによりトランスミッションシャフト３６は駆動力を供給することが可能となる。
【００６４】
シリンダ３５とともに回転することにより、全ピストン３のうちの各ピストン３は、各ピストン３が協働するシリンダ４に対して出入りする。
【００６５】
もし単一のピストン３が観察されるならば、シリンダ３５が３６０度回転する間に上記ピストン３はピストン３が協働するシリンダ４に対しては平行を維持せず上記シリンダ４に対してその長手方向軸に対して垂直なその２つの軸の周りで回転することが見られ得る。
【００６６】
最新技術水準によれば、この相対運動は、球体端部ピストンの採用により解決されるが、係るピストンは、特許ＷＯ２０１５／０１１３５８Ａ１の発明主題であるピストン密閉装置２を受容するにあたっては好適ではない。
【００６７】
これが、本発明に係るピストン密閉装置２のための関節型連結部１が、連続伸張性区域１５とピストンヘッド６との間に置かれた玉継手スカート部２２を提供する理由である。
【００６８】
球形ピストンを有する斜軸液圧モータのピストン球形ヘッド部により通常は具体化される機能は、ここでは、一方では、圧縮表面１０上に配置された切断球形ピストン端部２１により、他方では、ピストンヘッド側スイベル回転スカート部２３の軸方向表面上に配置されたスカート部切断球形当接表面２４により、これらが互いに対して密閉接触状態にあるときに構築される玉継手により提供される。
【００６９】
このように構築された本発明に係る関節型連結部１は、一方では、特許ＷＯ２０１５／０１１３５８Ａ１に係るピストン密閉装置２が上記適用により提供される状況下で動作することを、および他方では、ピストン３が先行技術に係る斜軸モータの状況下で動作することを可能にし、これら上記２つの状況は、本発明に係る関節型連結部１により提供される玉継手スカート部２２の特定的な動作により満足される。
【００７０】
図２において示されているように、流体チャンバ５に拡がる流体１１の圧力に起因する応力の大部分は、ピストンヘッド６により含まれる圧縮表面１０に対して直接的に印加される。上記応力のわずかな一部のみが、一方では、切断球形ピストン端部２１とスカート部切断球形当接表面２４との間の接触円と、他方では、シリンダ４の内径と、の間で径方向に配置される、そのフランジ区域に対して、玉継手スカート部２２に印加される。さらに、上記応力の上記わずかな一部分は、切断球形ピストン端部２１とスカート部切断球形当接表面２４との間で充分な接触圧力を維持することが必要であり、上記接触圧力が２つの部材２１と２４との間の良好な密閉の保証であることに留意されたい。
【００７１】
図３〜図５では、一方では玉継手スカート部２２により、他方ではスカート部間機械的接続部１３により、可能にされる、シリンダ４に対するピストン３の傾斜が示されている。スカート部間機械的接続部１３は充分な隙間が存在する状態でスカート部間接続トンネル３１内に収容され、スカート部間接続トンネル３１は、長さ方向において一方の端部から他方の端部までピストン３を貫通し、上記隙間は、上記接続部１３が、上記トンネル３１の内側壁部に接触することなく、接続部１３自体をピストン３に対して指向させることを可能にするにあたり必要であることに留意されるべきである。
【００７２】
さらに図３〜図５では、比較的大きい隙間がバネカップ３９の底部に設けられたオリフィスとスカート部間機械的接続部１３との間にも残されており、それにより、シリンダ４に対してピストン３がどのように指向したとしても、上記カップ３９および上記接続部１３が上記オリフィスのレベルにおいて互いに対して決して接触し得ないことが示されている。
【００７３】
いずれの場合にせよ、状況は、図８において示される関節型連結部１の特定の構成において異なり、それにより、わずかな隙間のみが、追加バネカップ３０の底部に提供されたオリフィスと、上記カップ３０と常に同一の指向を取るスカート部間機械的接続部１３と、の間で残される。
【００７４】
図３〜図５では、摺動スカート部バネ２０が螺旋状圧縮バネの形状を取るため、摺動スカート部バネ２０は、上記バネ２０が当接するその底部上のバネカップ３９に対するスカート部間機械的接続部１３の指向における周期的変動を容易に吸収することにも留意されるであろう。
【００７５】
スカート部間機械的接続部１３は、ピストン当接表面８において、ピストン側スイベル回転接続ヘッド部２７を含み、それにより、シリンダ４に対する上記ピストン３の指向のいかんに関わらず、上記ヘッド部２７が上記ピストン３に対しておおよそ同一の径方向および軸方向の位置を維持する一方で、ピストン側スイベル回転接続ヘッド部２７がピストン３に対して枢動することを可能にすることも、図３〜図５において留意されるであろう。
【００７６】
さらに、図１〜図７において提示される本発明に係る関節型連結部１の特定の実施形態によれば、摺動スカート部１２に最も近接するスカート部間機械的接続部１３の端部は摺動スカート部側摺動・スイベル回転接続ヘッド部２８を含み、この摺動スカート部側摺動・スイベル回転接続ヘッド部２８は、上記ヘッド部２８が、上記スカート部１２に対してはその径方向位置を維持するが、軸方向においては上記スカート部１２に対して実質的に移動し得る一方で、上記接続部１３が上記スカート部１２に対して枢動することを可能にする。
【００７７】
図３〜図５において特に示されているように、摺動スカート部側摺動・スイベル回転接続ヘッド部２８は、摺動スカート部１２において配置され、かつ、摺動スカート部バネ２０がその中に収容された、バネカップ３９により含まれる円筒形ハウジングと協働する切断球形ノズルからなる。
【００７８】
さらに、上記バネカップ３９が、摺動スカート部１２に対して当接する追加バネカップ３０により取って代わられた場合も、それは同一であることが図２において留意されるべきである。
【００７９】
両方の場合においても、摺動スカート部バネ２０がそれぞれ、一方では、バネカップ３９の底部もしくは追加バネカップ３０の底部に対して、他方では、摺動スカート部側摺動・スイベル回転接続ヘッド部２８の下方に対して、押圧することに留意されるべきである。
【００８０】
ピストン側スイベル回転接続ヘッド部２７が流体通路伝送路２９を含み、この流体通路伝送路２９は、上記ヘッド部２７とそのハウジングとの間で流体１１が通過することを可能にすることが、特に図２において留意されるべきである。この構成は、特に、ピストン当接表面８を、伝達手段９とピストン当接表面８との接点において、潤滑することを可能にする。
【００８１】
依然として図２において、摺動スカート部側摺動・スイベル回転接続ヘッド部２８が流体通路伝送路２９を含み、この流体通路伝送路２９は、流体１１が、上記ヘッド部２８の一方の表面から他方の表面へと通過することを可能にすることが見られ得る。この構成は、一方では、流体チャンバ５内で拡がる圧力を、区域内側円筒形表面１６に対して、ならびに圧縮表面１０に対して、反射させること、および他方では、ピストン当接表面８を潤滑するために、流体流１１を、ピストン側スイベル回転接続ヘッド部２７により含まれる流体通路伝送路２９において確立させることを可能にする。
【００８２】
伝達手段９に対するピストン３の枢動軸Ａの位置、および、玉継手スカート部２２に対するピストン３の枢動軸Ｂの位置が、図３〜図５において示されている。
【００８３】
上記図３〜図５において示される本発明に係る関節型連結部１の特定的な実施形態によれば、枢動軸Ｂの位置は、切断球形ピストン端部２１とスカート部切断球形当接表面２４との間の大きい球形接触半径を伴う。上記大きい半径は、その半径を大きくする傾向を有する玉継手スカート部２２により経験されるコーナー効果を制限する。加えて、上記大きい半径は、玉継手スカート部２２、連続伸張性区域１５、および摺動スカート部１２からなる組立体の軸方向サイズを減少させることとなる。
【００８４】
しかし、ピストン３がその長手方向軸に対して垂直な２つの軸の周りに上記シリンダ４に対して枢動するとき、枢動軸Ｂの位置は、シリンダ４に対する切断球形ピストン端部２１の軽微な偏心を伴うことに留意されるべきである。
【００８５】
本発明に係る関節型連結部１の代替的な実施形態が、図８〜図１０において示されている。この実施形態では、玉継手スカート部２２に対するピストン３の枢動軸Ｂが上記ピストン３に対する玉継手スカート部２２の回転中心と一致する。
【００８６】
上記代替的な実施形態によれば、スカート部間機械的接続部１３と摺動スカート部１２との間に直接的または間接的に置かれる関節手段４０を提供することはもはや不要である。
【００８７】
しかし、上記代替的な実施形態によれば、ピストン側スイベル回転接続ヘッド部２７が、ヘッド部２７の形状に対して相補的形状であるスイベル回転ワッシャ４１において上記ヘッド部２７に関節接続されると有利である。なお上記ワッシャ４１はピストン３内に収容される。ピストン３内において上記ワッシャ４１は弾性リング４２により保持される。
【００８８】
図１〜図１０から容易に推測され得るように、どのような変化例が考慮されたとしても、本発明に係る関節型連結部１の特定的な動作により、特許ＷＯ２０１５／０１１３５８Ａ１の発明主題であるピストン密閉装置２は、図１において示される斜軸を有する可変変位軸方向ピストン液圧モータ３４に対して完全な互換性を実際に有する。
【００８９】
上記液圧モータに対する本発明のこの適用は、本開示において、非限定的な事例によってのみ偶然に開示されたものであり、本発明に係るピストン密閉装置２のための関節型連結部１の可能性は上述した適用に限定されない。実際に、上記連結部１は特許ＷＯ２０１５／０１１３５８Ａ１の発明主題であるピストン密閉装置２を受容する任意の機械または装置に適用されることが、上記機械または装置が少なくとも１つのピストン３を含み、係るピストン３が、上記装置２を受容し、かつ、その動作時に、ピストン３が協働するシリンダに対して平行な状態を維持しないかぎり、可能である。
【００９０】
例えば本発明に係る関節型連結部１は、本出願者に属する２０１６年９月２７日の特許出願ＦＲ１６５９０７１の発明主題であるアクチュエータシリンダピストンおよび／または液圧式慣性バルブ・アクチュエータのリターン式シリンダピストンに、上記ピストンに対して特許ＷＯ２０１５／０１１３５８Ａ１の発明主題であるピストン密閉装置２が実際に装備されているかぎり、適用されることが可能である。
【００９１】
前述の説明の全部が単に例示としてのみ与えられたものであること、および、このことが、本開示で説明した詳細に対する任意の他の均等物を依然として含み得る本発明の範囲をいかなる方法においても制限しないこと、も理解されなければならない。
【図１】
2020509286.tif 000003
【図２】
2020509286.tif 000004
【図３】
2020509286.tif 000005
【図４】
2020509286.tif 000006
【図５】
2020509286.tif 000007
【図６】
2020509286.tif 000008
【図７】
2020509286.tif 000009
【図８】
2020509286.tif 000010
【図９】
2020509286.tif 000011
【図１０】
2020509286.tif 000012
【国際調査報告】
2020509286.tif 000013
2020509286.tif 000014
2020509286.tif 000015
2020509286.tif 000016